(57)【要約】【課題】注ぎ口の裏面の熱さを低減するための技術を提供する。【解決手段】液体用の容器３２０と、注ぎ口３０１と、を備えるケトル１００が提供される。注ぎ口３０１が、内側構造体３２３と外側構造体３１１とにより、二重に構成される。好ましくは、内側構造体３２３と外側構造体３１１の間に空間が形成される。【選択図】図４
2019205718.tif 000002
【特許請求の範囲】
【請求項１】
液体用の容器と、
注ぎ口と、を備え、
前記注ぎ口が、内側構造体と外側構造体とにより、二重に構成される、ケトル。
【請求項２】
前記内側構造体と前記外側構造体の間に空間が形成される、請求項１に記載のケトル。
【請求項３】
前記内側構造体の端部の外側にフックが形成され、
前記外側構造体の端部が前記フックに掛けられる、請求項１または２に記載のケトル。
【請求項４】
前記内側構造体の端部の外側面または前記外側構造体の端部の外側面に水切り部を設ける、請求項１から３のいずれか１項に記載のケトル。
【発明の詳細な説明】
【技術分野】
【０００１】
本発明は、内部に液体を蓄えたりコップに当該液体を注いだりするためのケトルに関する。
【背景技術】
【０００２】
内部に液体を蓄えたりコップに当該液体を注いだりするためのケトルが知られている。特に、電気ケトルは、水を入れた液体容器を電源台に載置し、スイッチを入れることにより、容器内の水を短時間で沸騰させることができる。電気ケトルには、液体容器内の水が沸騰すると蒸気を感知して自動的にスイッチが切れるものもある。
【０００３】
また、電気ケトルには、注ぎ口および把手が設けられており、使用者が把手を持って電気ケトルを傾けることによって、注ぎ口から所望の容器にお湯を注ぐことができる。このような電気ケトルには、注ぎ口からお湯がスムーズに吐出されるように、吐出時に液体容器内へ空気を送り込むことのできるような構造が設けられている。
【０００４】
例えば、特開２００８−２１２３１５号公報（特許文献１）には、水加熱容器が開示されている。特許文献１によると、加熱容器と、加熱源と、外ケースと、加熱容器の開口部に取り付けられる栓本体と、外ケースに対して上下方向に位置する取手と、該取手の反対側に設けられる注ぎ口を有し、栓本体は、その外周に取り付けられ開口部をシールする環状パッキンと、加熱容器の内外部を連通或いは遮断する弁部材と、蒸気口を介して加熱容器内に連通するとともに注ぎ口に連通し、さらには取手側に設けられる蒸気通路を介して温度感知部材に連通する中空室とを備え、蒸気口は、栓本体下部の取手側に開口され、中空室と蒸気通路との間には、止水部材が設けられ、加熱容器内の蒸気は、蒸気口及び中空室を介して注ぎ口及び温度感知部材に送られ、加熱容器が転倒し取手が下側になった場合、止水部材は、蒸気通路を閉鎖する水加熱容器の栓構造が提供される。
【０００５】
また、特開２０１４−２１７５５９号公報（特許文献２）には、湯沸し器が開示されている。特許文献２によると、上方側が開口し、内部に貯留部を有する容器本体と、貯留部内の液体を加熱する加熱機構と、容器本体の上方開口部を開閉自在な蓋体とを備えた湯沸し器であって、蓋の内部に、貯留部と外部とを弁機構を介して連通し、貯留部内の液体を注ぎ口を介して外部に通流させる注出流路と、貯留部と注出流路とを連通し、貯留部内の液体から発生する蒸気を注出流路に通流させる蒸気流路とを備え、蒸気流路が、水平方向に延出し、蒸気導入口を介して貯留部に連通する水平向き流路と、当該水平向き流路から下方側に延出し、下流側端部に形成された蒸気導出口を介して注出流路に連通する下方向き流路とを備えた。
【先行技術文献】
【特許文献】
【０００６】
【特許文献１】特開２００８−２１２３１５号公報
【特許文献２】特開２０１４−２１７５５９号公報
【発明の概要】
【発明が解決しようとする課題】
【０００７】
本発明の目的は、注ぎ口の裏面の熱さを低減するための技術を提供することである。
【課題を解決するための手段】
【０００８】
本発明の一局面においては、液体用の容器と、注ぎ口と、を備えるケトルが提供される。注ぎ口が、内側構造体と外側構造体とにより、二重に構成される。
【発明の効果】
【０００９】
以上のように、本発明によって、注ぎ口の裏面の熱さを低減することができる。
【図面の簡単な説明】
【００１０】
【図１】本実施形態にかかる電気ケトルの外観構成を示す斜視図である。
【図２】図１に示す電気ケトルのケトル本体の外観構成を示す側面図である。
【図３】図２に示すケトル本体の上面図である。
【図４】図３に示すケトル本体のＡ−Ａ線部分の構成を示す断面図である。
【図５】本実施の形態にかかる外側壁部材を示す背面斜視図である。
【図６】本実施の形態にかかる注ぎ口付近を示す外側壁部材の側面断面図である。
【図７】本実施の形態にかかる内側壁部材を示す前面斜視図である。
【図８】本実施の形態にかかる注ぎ口付近を示す内側壁部材の側面断面図である。
【発明を実施するための形態】
【００１１】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１２】
本実施形態では、電気ケトル１００を例に挙げて説明する。図１には、電気ケトル１００の外観を示す。電気ケトル１００は、主として、ケトル本体２００と電源台５００とで構成されている。図２には、ケトル本体２００の側面の構成を示す。
【００１３】
（電気ケトルの全体構成）
ケトル本体２００は、電源台５００に着脱自在に載置されている。電気ケトル１００の使用者は、お湯を沸かしたいときにケトル本体２００を電源台５００上に載置し、お湯を使用するときにケトル本体２００を電源台５００から取り外すことができる。
【００１４】
ケトル本体２００は、主として、本体ユニット３００と蓋ユニット２５０とで構成されている。なお、ケトル本体２００には、上方の一端部に湯などの液体の注ぎ口３０１が設けられている。また、ケトル本体２００を上方側から見て、注ぎ口３０１と対向する位置に把手４００が設けられている。
【００１５】
ケトル本体２００内の液体を注ぐ際には、使用者は把手４００を把持し、ケトル本体２００を注ぎ口３０１が下方に向くように傾けることで、注ぎ口３０１から液体を吐出させることができる。なお、本明細書では、説明の便宜上、注ぎ口３０１が配置されている側をケトル本体２００の前方側と呼び、把手４００が配置されている側をケトル本体２００の後方側と呼ぶ。また、ケトル本体２００を電源台５００上に載置した状態で、蓋ユニット２５０が位置する側をケトル本体２００の上方側と呼び、本体ユニット３００の底部材３３１が位置する側をケトル本体２００の下方側と呼ぶ（図２参照）。
【００１６】
蓋ユニット２５０は、本体ユニット３００に着脱自在に装着されている。電気ケトル１００の使用者は、蓋ユニット２５０の上部に設けられたロック機構２５２を解除状態にすることで、本体ユニット３００から蓋ユニット２５０を取り外すことができる。そして、お湯を沸かすための水等を電気ケトル内の液体容器３２０（図４参照）に入れることができる。また、お湯を沸かす際には、蓋ユニット２５０を本体ユニット３００に装着させて、液体容器３２０内を閉空間とする。
【００１７】
電源台５００は、電気ケトル１００へ電気を供給する給電部の役割を果たすともに、電気ケトル１００の台座の役割を果たす。電源台５００には、ケトル本体２００内のヒータユニット３４０と電気的に接続される接続端子、電源コード、電源プラグなどが設けられている。電源台５００については、従来公知の電気ケトルの電源台と同様の構成が適用できる。
【００１８】
以下、ケトル本体２００の各構成部材の具体的な構成について説明する。図３には、ケトル本体２００を上方側から見た図を示す。また、図４には、ケトル本体２００の断面構成を示す。図４は、図３に示すケトル本体２００のＡ−Ａ線部分の断面構成を示す図である。
【００１９】
（本体ユニットについて）
本体ユニット３００は、主な構成部材として、外側壁部材３１０、液体容器３２０、ヒータユニット（加熱部）３４０、底部材３３１、および把手４００などを備えている。
【００２０】
外側壁部材３１０は、樹脂で形成された部材であって、本体ユニット３００の外周面を形成する。なお、本実施形態では、外側壁部材３１０は、略円筒形状の部材の周面の一部が切り取られた形状を有している。そして、この切り取られた部分に、把手４００の本体接続部４１９が嵌め込まれている。すなわち、本体ユニット３００の外周面は、その大部分が外側壁部材３１０で構成され、一部分が把手４００の本体接続部４１９で構成されている。
【００２１】
また、外側壁部材３１０の前方側の上部には、前側突出部３１１が設けられている。前側突出部３１１は、他の構成部材とともに注ぎ口３０１の一部を構成している。
【００２２】
液体容器３２０は、その内部に水などの液体を溜めることができる部材であって、外側壁部材３１０の内側に配置されている。そして、この液体容器３２０は、内側壁部材３２１、ヒータプレート３３４、Ｏリング３３２、および固定リング３３３から構成されている。
【００２３】
内側壁部材３２１は、樹脂製の部材であって、図４に示されるように液体容器３２０の側壁を構成している。
【００２４】
ヒータプレート３３４は、金属製の板材であって、内側壁部材３２１の下側の開口を閉塞するように覆っている。また、このヒータプレート３３４の下面の外周部位には、ヒータユニット３４０の一構成部品であるシーズヒータ３４１が取り付けられている。なお、ここで、液体容器３２０の内側壁部材３２１の内周面およびヒータプレート３３４の上面には、フッ素樹脂等の耐蝕性樹脂（図示せず）が塗装されていてもよい。
【００２５】
Ｏリング３３２は、ゴムやエラストマーから形成される円環状の弾性部材であって、図４に示されるように固定リング３３３と協働してヒータプレート３３４の外周部位を内側壁部材３２１の中段部位の下端面に押し付けている。
【００２６】
固定リング３３３は、略円筒形状を呈する部材であって、Ｏリング３３２を介してヒータプレート３３４を内側壁部材３２１の下端面に押し付けて固定するためのものである。この固定リング３３３は、上述の通り、内側壁部材３２１の下段部位の内側に嵌め込まれることによって、ヒータプレート３３４を内側壁部材３２１の下端面に押し付けて固定する。
【００２７】
ヒータユニット３４０は、ヒータプレート３３４の下面に取り付けられている。ヒータユニット３４０は、図４に示されるように、主に、シーズヒータ３４１、給電端子３４２および過昇温防止機構３４３から構成されている。過昇温防止機構３４３は、バイメタルや、ヒューズ、サーモスタット等から構成されており、ヒータプレート３３４の温度が規定温度を超過した場合、シーズヒータ３４１への通電を遮断する役割を担っている。給電端子３４２は、電源台５００に設けられた接続端子と電気的に接続された際、外部電源からシーズヒータ３４１へ電気を供給する媒介する。なお、このヒータユニット３４０としては、従来公知の電気ケトルのヒータユニットを適用することができる。
【００２８】
底部材３３１は、樹脂で形成された部材であって、本体ユニット３００の底部を構成している。底部材３３１の上端部は、外側壁部材３１０の下端部および把手４００の本体接続部４１９の下端部と接続されている。底部材３３１の内部に、ヒータユニット３４０が収容されている。
【００２９】
把手４００は、ケトル本体２００の後方側を構成している。把手４００は、主な構成部材として、本体背面側カバー４１０と、把手背面側カバー４２０、および電源スイッチ機構４３０などを有している。
【００３０】
把手４００は、樹脂などで形成された部材であって、使用者がケトル本体２００を持ち運ぶ際の持ち手となる部分である。把手４００は、本体接続部４１９から突出するように、本体接続部４１９と一体的に形成されている。把手４００の上方には、電源スイッチ機構４３０の一構成部品である電源ボタン４３１が配置されている。
【００３１】
本体背面側カバー４１０は、ケトル本体２００の背面の外周面を担う本体接続部４１９と、把手４００の前面の外壁を担う把手前面部４１８とから構成される。言い換えると、把手４００は、本体接続部４１９によって本体ユニット３００の外側壁部材３１０と連結されている。
【００３２】
電源スイッチ機構４３０は、主として、電源ボタン４３１、蒸気検知部４３２、電源スイッチ（図示せず）などを備えている。電源スイッチは、ケトル本体２００の底部に設けられたヒータユニット３４０内の給電部と、電源台５００内の接続端子との接続状態を切り換えるためのスイッチである。
【００３３】
電源ボタン４３１は、把手４００の上面から突出するように配置されている。電源ボタン４３１は、把手４００の内部で電源スイッチと連結されている。ケトル本体２００を電源台５００上に載置した状態で、使用者が電源ボタン４３１を押し下げると、把手４００内の電源スイッチはＯＮ（接続）状態となり、ヒータユニット３４０は電源台５００と通電される。これにより、ヒータユニット３４０には電気が供給され、液体容器３２０内に貯められた水は温められる。
【００３４】
蒸気検知部４３２は、例えば、薄い板状のバイメタルスイッチを有している。蒸気検知部４３２は、液体容器３２０から発生した蒸気を検知すると、押し下げられている電源ボタン４３１を上方側へ押し返すように動作する。電源ボタン４３１が上方へ押し上げられると、把手４００内の電源スイッチはＯＦＦ（切断）状態となり、ヒータユニット３４０への通電が停止される。
【００３５】
なお、電源スイッチ機構４３０は、従来公知の電気ケトルの電源スイッチ機構の構成を適用することができる。
（注ぎ口付近の構成について）
【００３６】
次に図４から図８を参照して、本実施の形態にかかる注ぎ口３０１付近の構造について説明する。なお、図５は、本実施の形態にかかる外側壁部材３１０の背面斜視図である。図６は、本実施の形態にかかる外側壁部材３１０の注ぎ口３０１付近の側面断面図である。図７は、本実施の形態にかかる内側壁部材３２１の前面斜視図である。図８は、本実施の形態にかかる内側壁部材３２１の注ぎ口３０１付近の側面断面図である。
【００３７】
まず、内側壁部材３２１は、外側壁部材３１０の内側に配置されている。内側壁部材３２１は、ステンレス鋼などの金属または樹脂で形成されており、その内部に水などの液体を溜めることができるような容器の形状となっている。内側壁部材３２１の内周面には、フッ素樹脂等の耐蝕性樹脂が塗装されていてもよい。
【００３８】
また、内側壁部材３２１の側壁の外周面には、リブ３２２，３２２・・・が複数個設けられている。リブ３２２，３２２・・・は、内側壁部材３２１の外周に沿って延びる環状体であるとともに、水平面（電気ケトル１００の載置面）と平行な板状体である。図４に示すように、内側壁部材３２１の外周にリブ３２２，３２２・・・が設けられていることによって、内側壁部材３２１の外周面と外側壁部材３１０の内周面との間に所定の空間が形成される。これにより、内側壁部材３２１内の断熱性を高めることができる。
【００３９】
さらに、内側壁部材３２１の前方側の上部には、上方へ傾斜しながら前側に突出する吐出口形成部３２３が設けられている。吐出口形成部３２３の上端は、注ぎ口３０１の先端部３２３ａとなっている。図４に示すように、注ぎ口３０１の先端部分は、内側壁部材３２１の吐出口形成部３２３と、外側壁部材３１０の前側突出部３１１との二重構造となっている。
【００４０】
本実施形態では、注ぎ口３０１の最先端は、内側壁部材３２１の一部（すなわち、先端部３２３ａ）で形成されている。そして、内側壁部材３２１の先端部３２３ａの下側のフック３２３ｂに、外側壁部材３１０の前側突出部３１１の上端部が噛みこまれる。
【００４１】
外側壁部材３１０は、注ぎ口３０１の近傍の前側突出部３１１の内壁面に、後方へ向けて、水平方向のリブ３１５が形成される。一方、内側壁部材３２１の注ぎ口３０１の近傍の外壁面には、前方へ向けて、水平方向のリブ３２５が形成される。本実施の形態においては、外側壁部材３１０を内側壁部材３２１に取り付ける際に、リブ３１５とリブ３２５とが当接するように構成されている。より詳細には、本実施の形態においては、内側壁部材３２１の先端部３２３ａの下側のフック３２３ｂの内側に、外側壁部材３１０の前側突出部３１１の上端部が、上方へ向けて押し付けられ、その反作用によって、外側壁部材３１０のリブ３１５の下面が、内側壁部材３２１のリブ３２５の上面を押し下げる方向に付勢する状態で、外側壁部材３１０と内側壁部材３２１とが固設される。
【００４２】
また、外側壁部材３１０は、前側突出部３１１の内壁面の注ぎ口３０１の左方に、内側壁部材３２１に向けてリブ３１６Ｌが形成され、前側突出部３１１の内壁面の注ぎ口３０１の右方に、内側壁部材３２１に向けてリブ３１６Ｒが形成される。一方、内側壁部材３２１の外壁面の、注ぎ口３０１の左方には、外側壁部材３１０に向けてリブ３２６Ｌが形成され、注ぎ口３０１の右方には、外側壁部材３１０に向けてリブ３２６Ｒが形成される。本実施の形態においては、外側壁部材３１０を内側壁部材３２１に取り付ける際に、リブ３１６Ｌの左面とリブ３２６Ｌの右面とが当接し、リブ３１６Ｒの右面とリブ３２６Ｒの左面とが当接するように構成されている。より詳細には、本実施の形態においては、リブ３１６Ｌの左面がリブ３２６Ｌの右面を左方向へ押した状態で、かつ、リブ３１６Ｒの右面がリブ３２６Ｒの左面を右方向へ押した状態で、外側壁部材３１０と内側壁部材３２１とが固設される。
【００４３】
これによって、注ぎ口３０１の下方において、外側壁部材３１０と内側壁部材３２１との間に隙間ができる。その結果、内側壁部材３２１の注ぎ口３０１、すなわち吐出口形成部３２３の上面に沿って、電気ケトル１００からお湯を注いでも、外側壁部材３１０は、内側壁部材３２１よりも温度の上昇幅が少ない。つまり、電気ケトル１００からお湯を注いだ際の、注ぎ口３０１の裏面側の温度上昇を低減することができる。
【００４４】
また、本実施の形態においては、内側壁部材３２１の先端部３２３ａにおいて、フック３２３ｂに対応する部分の外側面に段差３２３ｃが形成される。これによって、注ぎ口３０１からお湯を注いだ際に水切りが容易に行える。
（変形例）
【００４５】
なお、本実施の形態においては、注ぎ口３０１の下方において、外側壁部材３１０と内側壁部材３２１との間に隙間を形成するものであったが、すなわち、注ぎ口３０１の下方において、吐出口形成部３２３と前側突出部３１１との間に空気が存在するものであったが、吐出口形成部３２３と前側突出部３１１との間に断熱材を入れてもよい。あるいは、前側突出部３１１が断熱性に優れた材質であってもよい。
（変形例）
【００４６】
また、本実施の形態においては、側面断面視において、吐出口形成部３２３が直線状で、前側突出部３１１が円弧を描いているが、間に空間が形成されることが有効であって、両者が直線状であってもよいし、両者が円弧を描いたり、波打ったりしていてもよい。
（変形例）
【００４７】
また、本実施の形態においては、吐出口形成部３２３が内側壁部材３２１の一部であって、両者が一体成型されているが、両者は別部材であってもよい。同様に、本実施の形態においては、前側突出部３１１が外側壁部材３１０の一部であって、両者が一体成型されているが、両者は別部材であってもよい。
（変形例）
【００４８】
また、本実施の形態においては、内側壁部材３２１の上端部の外面すなわち裏面すなわち下面に段差３２３ｃが形成されるものであったが、前側突出部３１１の外面すなわち裏面すなわち下面に水切り部としての段部が形成されてもよい。
（まとめ）
【００４９】
このように上記の実施の形態においては、液体用の容器３２０と、注ぎ口３０１と、を備えるケトル１００が提供される。注ぎ口３０１が、内側構造体３２３と外側構造体３１１とにより、二重に構成される。
【００５０】
好ましくは、内側構造体３２３と外側構造体３１１の間に空間が形成される。
【００５１】
好ましくは、内側構造体３２３の端部の外側にフック３２３ｂが形成される。外側構造体３１１の端部がフック３２３ｂに掛けられる。
【００５２】
好ましくは、内側構造体３２３の端部の外側面または外側構造体３１１の端部の外側面に水切り部３２３ｃを設ける。
【００５３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【００５４】
１００    ：電気ケトル
２００    ：ケトル本体
２５０    ：蓋ユニット
２５２    ：ロック機構
３００    ：本体ユニット
３０１    ：口
３１０    ：外側壁部材
３１１    ：前側突出部（外側構造体）
３１５    ：リブ
３１６Ｌ  ：リブ
３１６Ｒ  ：リブ
３２０    ：液体容器
３２１    ：内側壁部材
３２２    ：リブ
３２３    ：吐出口形成部（内側構造体）
３２３ａ  ：先端部
３２３ｂ  ：フック
３２３ｃ  ：段差
３２５    ：リブ
３２６Ｌ  ：リブ
３２６Ｒ  ：リブ
３３１    ：底部材
３３２    ：Ｏリング
３３３    ：固定リング
３３４    ：ヒータプレート
３４０    ：ヒータユニット
３４１    ：シーズヒータ
３４２    ：給電端子
３４３    ：過昇温防止機構
４００    ：把手
４１０    ：本体背面側カバー
４１８    ：把手前面部
４１９    ：本体接続部
４２０    ：把手背面側カバー
４３０    ：電源スイッチ機構
４３１    ：電源ボタン
４３２    ：蒸気検知部
５００    ：電源台
【図１】
2019205718.tif 000003
【図２】
2019205718.tif 000004
【図３】
2019205718.tif 000005
【図４】
2019205718.tif 000006
【図５】
2019205718.tif 000007
【図６】
2019205718.tif 000008
【図７】
2019205718.tif 000009
【図８】
2019205718.tif 000010